(57)【要約】【課題】  装置持ち運び中の衝撃による機構損傷を防止する衝撃力低減機構を提供し、フォームファクタ規格寸法および耐衝撃特性を満足する情報記録再生装置を実現する。【解決手段】  粒状の固形部材と粘弾性材料とを練り合わせて形成した衝撃吸収部材を装置外周面に備える。装置外周面に衝撃力が加わると、衝撃吸収部材は大変形して内部摩擦により衝撃エネルギを充分に消費し、内部機構の損傷を防止する。変形した衝撃吸収部材は、元の形状に修復可能で、繰り返し使用に耐える。また、装置に具備した衝撃加速度早見表と実際の変形状態とを参照することにより、印加衝撃加速度の概略値を知ることができる。【選択図】  図１
2004247046.tif 000002
【特許請求の範囲】
【請求項１】
情報を記録するディスクと、前記ディスクを回転駆動するディスク回転駆動モータと、前記ディスクに情報を記録再生するヘッドを支持し前記ディスクの半径方向に回転位置決めするキャリッジと、前記キャリッジに回転トルクを与えるキャリッジ駆動部と、これらを支持包含するベースおよびカバーで構成したハウジングとから成る情報記録再生装置において、
装置全体を耐衝撃箱に納め、装置側面と接する部分の前記耐衝撃箱の肉厚寸法が、前記カバー側及び前記ベース側と接する部分の前記耐衝撃箱の肉厚寸法よりも大きいことを特徴とする情報記録再生装置。
【請求項２】
情報を記録するディスクと、前記ディスクを回転駆動するディスク回転駆動モータと、前記ディスクに情報を記録再生するヘッドを支持し前記ディスクの半径方向に回転位置決めするキャリッジと、前記キャリッジに回転トルクを与えるキャリッジ駆動部と、これらを支持包含するベースおよびカバーで構成したハウジングとから成る情報記録再生装置において、
装置全体をゴム材料、あるいはプラスチック材料で形成した編み籠状の耐衝撃箱に納め、前記耐衝撃箱のコーナーに粒状の固形部材と粘弾性材料とを練り合わせて形成した衝撃吸収部材を備えたことを特徴とする情報記録再生装置。
【請求項３】
前記粘弾性材料よりも高い硬度を持つ粘弾性材料を用い、前記衝撃吸収部材の表面をコーティングしたことを特徴とする請求項１ないし２に記載の情報記録再生装置。
【請求項４】
情報を記録するディスクと、前記ディスクを回転駆動するディスク回転駆動モータと、前記ディスクに情報を記録再生するヘッドを支持し前記ディスクの半径方向に回転位置決めするキャリッジと、前記キャリッジに回転トルクを与えるキャリッジ駆動部と、これらを支持包含するベースおよびカバーで構成したハウジングとから成り、前記ハウジングの外周面に衝撃吸収部材を備えた情報記録再生装置において、
前記ハウジングの外周面に、ばね部材あるいは繊維材料と粘弾性材料とを練り合わせて形成した衝撃吸収部材を備え、衝撃力印加後、衝撃吸収部材は変形し、時間の経過と共に徐々に元の形状に復元する衝撃吸収部材を備えたことを特徴とする情報記録再生装置。
【請求項５】
前記衝撃吸収部材を、小形磁気ディスク装置のフォームファクタ規格寸法の範囲内に収納したことを特徴とする請求項１ないし４に記載の情報記録再生装置。
【請求項６】
前記フォームファクタ規格寸法が、100×70×9.5mm、100×70×12.7mm、又
は、100×70×19mmである請求項５記載の情報記録再生装置。
【請求項７】
前記耐衝撃箱又は前記衝撃吸収部材を、透明な材料で構成し、実装後の前記情報記録再生装置が透けて見えることを特徴とする請求項１ないし６に記載の情報記録再生装置。
【発明の詳細な説明】
【技術分野】
【０００１】
本発明は、情報を記録再生するヘッドを情報記録ディスクの所定の位置に回転移動させて位置決めを行なう情報記録再生装置に係り、装置に衝撃力が作用しても装置内部機構の損傷を防止する情報記録再生装置に関するものである。なお本発明は、特に、2.5インチ、1.8インチ、1.3インチ等の小形磁気ディスク装置に適用するものである。
【背景技術】
【０００２】
公開特許公報、特開平６−９６５３２号を例にして従来の小形磁気ディスク装置について説明する。積層した情報記録ディスクは、ベースに固定したディスク回転駆動モータにより一定速度で回転駆動される。ヘッドは支持ばねを介してキャリッジに支持され、ディスクとの間に微小隙間を隔てて浮上し、情報の記録再生を行なう。ヘッドの高速高精度な位置決めは、キャリッジをボイスコイルモータにより回転駆動することにより行なう。スリーブに回転軸と２個の転がり軸受を組み込んだピボットアセンブリにキャリッジを保持し、ピボットアセンブリをベース上に固定することにより、キャリッジは回転軸のまわりに回転できる。キャリッジを駆動するボイスコイルモータは、駆動コイル、永久磁石、ヨークから構成されている。このうち、キャリッジには駆動コイルを取付け、残りの永久磁石、ヨーク（これらを含めて「磁石・ヨークアセンブリ」と称する）はベース上に固定してある。磁気回路に挾まれた駆動コイルは磁界作用を受けているので、駆動コイルに通電することにより、キャリッジを駆動することができ、ヘッドを所定の場所に位置決めすることができる。
【０００３】
最近では、装置の小形、薄型化が進み、ＩＣカードのようにポケットに入れて持ち運びのできるリムーバブル装置の需要が拡大している。装置としては、持ち運び中に何かにぶつけたり、床に落としたりしてもこわれない、耐衝撃特性の優れた機構が求められている。耐衝撃特性を向上するための方法として
は、（１）装置内部の位置決め機構、円板、スライダ等の各要素の耐衝撃特性を上げる手段、と、（２）装置全体を衝撃から守る手段、の２通りの方法がある。
【０００４】
装置全体を衝撃から守る手段として、例えば、特開平１−３１１４９５号公開特許公報に開示されているものがある。この例では、装置本体の側面４箇所に防振・緩衝部材を設けると共に、その防振・緩衝部材を介して装置本体を内部ケースに格納している。内部ケースは凸状の案内部を有し、案内レール付きケースに着脱可能に格納される。以上の構成により、装置本体への外部振動、衝撃の伝達が緩和される。
【０００５】
また、他の公知例としては、特開平４−３６８６９０号公開特許公報に開示されているものがある。この例では、磁気ディスク収納筐体部側面の四隅にクロロプレンゴムからなる衝撃吸収部材を取り付け、衝撃による内部機構部品損傷を防止している。
【０００６】
【特許文献１】特開平６−９６５３２号
【特許文献２】特開平１−３１１４９５号
【特許文献３】特開平４−３６８６９０号
【発明の開示】
【発明が解決しようとする課題】
【０００７】
いずれの公知例も、装置にゴム等からなる衝撃吸収部材を設け，衝撃による装置内部機構の損傷防止を図っている。しかし、装置を床等に誤って落としてしまった場合、装置に作用する衝撃力は非常に大きく、反発性のあるゴムだけでは衝撃エネルギの吸収を充分に行なうことができない。その結果、装置内部機構の損傷を防止しきれない場合がある。
【０００８】
本発明の目的は、装置を床等に誤って落としてしまった場合でも衝撃エネルギの吸収を充分に行ない、装置内部機構の損傷を防止することができる衝撃吸収機構を備えた情報記録再生装置を提供することである。
【課題を解決するための手段】
【０００９】
本発明は，上記目的を達成するため，ハウジングの外周面に、粒状の固形部材と粘弾性材料とを練り合わせて形成した衝撃吸収部材を備えた構造とした。
【００１０】
また、衝撃吸収部材は、衝撃力印加後、変形し、自然放置状態では元の形状に復元しない構造とした。
【００１１】
また、衝撃吸収部材は、衝撃力印加後、変形し、時間の経過と共に徐々に元の形状に復元する構造とした。
【００１２】
また、衝撃吸収部材に種々の大きさの衝撃力が作用した場合の衝撃加速度と衝撃吸収部材の変形形状を予め計測しておき、その結果を衝撃加速度早見表としてハウジングに貼付しておき、装置に衝撃力が作用した場合、衝撃吸収部材の実際の変形形状を衝撃加速度早見表と比較することにより、装置に印加された衝撃加速度の概略値を知ることができる構成とした。
【００１３】
また、装置全体を耐衝撃箱に納め、装置側面と接する部分の前記耐衝撃箱の肉厚寸法が、カバー側およびベース側と接する部分の耐衝撃箱の肉厚寸法よりも大きい構造とした。装置全体を納める耐衝撃箱は、粒状の固形部材と粘弾性材料とを練り合わせて形成した衝撃吸収部材、あるいはゴム材料、あるいはプラスチック材料で形成した構造とした。
【００１４】
また、装置全体をゴム材料、あるいはプラスチック材料で形成した編み籠状の耐衝撃箱に納め、耐衝撃箱のコーナーに粒状の固形部材と粘弾性材料とを練り合わせて形成した衝撃吸収部材を備える構造とした。
【００１５】
また、衝撃吸収部材を構成する粘弾性材料よりも高めの硬度を持つ粘弾性材料を用い、衝撃吸収部材の表面をコーティングした構造とした。
【００１６】
また、衝撃吸収部材を構成する粒状の固形部材の代わりに、ばね部材、あるいは、繊維材料を用い、粘弾性材料とを練り合わせて衝撃吸収部材を形成し
た。
【００１７】
また、変形した前記衝撃吸収部材は、手で容易に元の形状に修復可能で、繰り返し使用に耐える構造とした。
【００１８】
また、衝撃吸収部材を、小形磁気ディスク装置のフォームファクタ規格寸法の範囲内に収納した構造とした。
【００１９】
また、装置を納める耐衝撃箱、ないし、衝撃吸収部材を透明な材料で構成
し、実装後の情報記録再生装置が透けて見える構造とした。
【発明の効果】
【００２０】
本発明では，ハウジングの外周面に、粒状の固形部材と粘弾性材料とを練り合わせて形成した衝撃吸収部材を備えた構造とした。衝撃吸収部材に衝撃力が作用すると大変形する。変形が進行する過程において、粒状固形部材と粘弾性材料が互いに摩擦し、衝撃エネルギが摩擦熱となって消費され、その結果、装置内部機構損傷を防止することができる。前記粒状固形部材の代わりに、ばね部材、あるいは繊維材料を用い、粘弾性材料と一緒に練り合わせて衝撃吸収部材を形成しても同様の効果が得られる。
【００２１】
衝撃吸収部材は、衝撃力印加後、変形し、自然放置状態では元の形状に復元しない構造とすることで、衝撃エネルギの消費を充分に行なうことができる。もし誤って装置を何かにぶつけたり、床に落としたりして装置外周部の衝撃吸収部材が変形した場合は、ユーザが手で形状修復を行ない、今後の衝撃変形に備える。
衝撃吸収部材は、繰り返し使用に耐える構造とし、ユーザが自ら手による形状修復を楽しむことができる。また、衝撃吸収部材は、衝撃力印加後、大変形
し、時間の経過と共に徐々に元の形状に復元する反発性のある素材で構成しても良い。この場合は、ユーザが形状修復を行なう必要はない。
【００２２】
衝撃吸収部材は小形磁気ディスク装置のフォームファクタ規格寸法の範囲内に収納した構造とした。したがって、従来通りの規格寸法装置に本発明装置を組み込むことができる。
【００２３】
衝撃吸収部材に種々の大きさの衝撃力が作用した場合の衝撃加速度と衝撃吸収部材の変形形状を予め計測しておき、その結果を衝撃加速度早見表としてハウジングに貼付した。装置に衝撃力が作用した場合、衝撃吸収部材の実際の変形形状を衝撃加速度早見表と比較することにより、装置に印加された衝撃加速度の概算値を知ることができる他、ユーザに装置取扱注意を喚起するものとして有効である。
【００２４】
装置全体を耐衝撃箱に納め、装置側面と接する部分の前記耐衝撃箱の肉厚寸法が、カバー側およびベース側と接する部分の耐衝撃箱の肉厚寸法よりも大きい構造とした。このようにすることにより、装置角部の張出し部の体積をある程度確保することができ、衝撃印加により積極的に衝撃吸収部材を変形させることができる。その結果、内部摩擦により衝撃エネルギを消費することによ
り、装置内部機構損傷を防止することができる。
【００２５】
衝撃吸収部材を構成する粘弾性材料よりも高めの硬度を持つ粘弾性材料を用い、衝撃吸収部材の表面にさらにコーティング層を施した。衝撃吸収部材、コーティング層の硬度、コーティング層の厚さ等の特性を選ぶことにより、種々の衝撃特性を実現することができる。
【００２６】
衝撃吸収部材は小形磁気ディスク装置のフォームファクタ規格寸法の範囲内に収納した構造とした。したがって、従来通りの規格寸法装置に本発明装置を組み込むことができる。
【００２７】
装置全体をゴム材料、あるいはプラスチック材料で形成した編み籠状の耐衝撃箱に納め、耐衝撃箱のコーナーに粒状の固形部材と粘弾性材料とを練り合わせて形成した衝撃吸収部材を備える構造とした。装置を納める耐衝撃箱、ないし、衝撃吸収部材を透明な材料で構成し、実装後の情報記録再生装置が透けて見える構造とし、外部記憶装置として机上に設置して使用することもできる。この場合、デザイン的にユニークな装置を構成することができる。
【発明を実施するための最良の形態】
【００２８】
以下、本発明の実施例を図面を参照して説明する。
【００２９】
図１は、本発明による情報記録再生装置（磁気ディスク装置）の一実施例の全体構成図である。図１（ａ）は磁気ディスク装置の上方からみた構成図であり、（ｂ）はこの磁気ディスク装置をＢ方向からみた構成図である。装置カバー、コネクタ近傍の一部を破断した状態を示す。図の紙面鉛直方向に積層したディスク６は、ベース８Ａに固定したディスク回転駆動モータ７により回転駆動される。情報の記録再生を行うヘッド１は、キャリッジ３にヘッド支持ばね２を介して取付ける。キャリッジ回転軸４とスリーブ（図示せず）との間に２個の転がり軸受５を収めたピボットアセンブリをキャリッジ３に固定し、キャリッジ回転軸４をベース８Ａに固定することにより、キャリッジ３をキャリッジ回転軸４回りに回転可能に支持する。ヨークと永久磁石とから成る磁石・ヨークアセンブリ９、およびキャリッジ３に設けた駆動コイル１０により構成したアクチュエータによりキャリッジ３を回転駆動し、ヘッド１をディスク６の所定のトラックに位置決めし、情報の記録再生を行なう。
【００３０】
本装置は、小形、薄型で、持ち運びのできるリムーバブル装置であり、パーソナルコンピュータ等への取付、取外しが容易にできる。持ち運び中に何かにぶつけたり、床に落としたりして装置に衝撃が作用しても内部機構が損傷しないようにするため、装置外周部に衝撃吸収部材１４を設けた構成を取ってい
る。衝撃吸収部材１４は、粒状固形部材１４Ａと粘弾性材料１４Ｂとを練り合わせて形成したものである。粒状固形部材１４Ａと粘弾性材料１４Ｂの体積比は、例えば４対１として混合する。粒状固形部材１４Ａの材質は、例えば珪砂で、呼称297、粒度係数63.1（日本鋳物協会規格）のものを用いる。衝撃吸収部材１４は衝撃が印加されると大変形し、内部摩擦により衝撃エネルギを消費することにより装置内部機構損傷を防止する。
【００３１】
装置を取り巻く衝撃吸収部材１４の厚さｔは、以下のようにすることが好ましい。すなわち、装置側面部の厚さt1が、ベース側厚さt2ないしカバー側厚さt3よりも大きくなるようにする。このようにすることにより、装置角部の張出し部の体積をある程度確保することができ、衝撃印加により積極的に衝撃吸収部材１４を変形させることができる。その結果、内部摩擦により衝撃エネルギを消費することにより、装置内部機構損傷を防止することができる。
【００３２】
本装置は、パーソナルコンピュータ等と接続するためのコネクタ１２を備えている。コネクタ挿入口１３はコネクタ接続のための挿入空間であり、衝撃吸収部材１４の一部を除去した部分である。磁気ディスク装置業界では，装置の縦Ｌ，横Ｗ，高さＨの各寸法，いわゆる『フォームファクタ寸法』を規定しており，これを満足することが必須である。本実施例でもこれを満足する装置構成をとっている。フォームファクタ寸法は、例えば、2.5インチの装置では、Ｌ＝100、Ｗ＝70、Ｈ＝9.5 mm、または、Ｌ＝100、Ｗ＝70、Ｈ＝12.7 mm、または、Ｌ＝100、Ｗ＝70、Ｈ＝19 mm である。
【００３３】
衝撃吸収部材の内部構造および変形状態を図２に示す。図２は、衝撃吸収部材１４の角部の一部を拡大して示したものである。衝撃力Ｆが作用すると、例えば１６に示すように大変形する。変形が進行する過程において、粒状固形部材１４Ａと粘弾性材料１４Ｂが互いに摩擦し、衝撃エネルギが摩擦熱となって消費され、その結果、装置内部機構損傷を防止することができる。
【００３４】
前記衝撃吸収部材は、衝撃力印加後、大変形し、自然放置状態では元の形状に復元しない。これは、衝撃エネルギの消費を充分に行なうためである。もし誤って装置を何かにぶつけたり、床に落としたりして装置外周部の衝撃吸収部材１４が変形した場合は、ユーザが手で形状修復を行ない、今後の衝撃変形に備える。ユーザが自らの手で形状修復することで、遊びごころを伴う装置を狙っている。なお、前記衝撃吸収部材は、衝撃力印加後、大変形し、時間の経過と共に徐々に元の形状に復元する反発性のある素材で構成しても良い。
【００３５】
前記衝撃吸収部材の内部構造の他の実施例を図３を用いて説明する。図３
は、衝撃吸収部材１４を構成する材料の部分拡大図である。衝撃吸収部材１４は、ばね作用を持つばね部材１４Ｃと粘弾性材料１４Ｂとを練り合わせて形成したものである。ばね部材１４Ｃは、金属材料、プラスチック材料、セラミック材料等から製作する。ばね部材１４Ｃと粘弾性材料１４Ｂの体積比は、例えば４対１として混合する。衝撃吸収部材１４は衝撃が印加されると大変形し、変形が進行する過程において、ばね部材１４Ｃと粘弾性材料１４Ｂが互いに摩擦し、衝撃エネルギが摩擦熱となって消費され、その結果、装置内部機構損傷を防止することができる。
【００３６】
前記衝撃吸収部材の内部構造の他の実施例を図４を用いて説明する。図４は、衝撃吸収部材１４を構成する材料の一部を示した図である。衝撃吸収部材１４は、粒状固形部材１４Ａと粘弾性材料１４Ｂを練り合わせ、それをばね作用を持つばね部材１４Ｄに充填して形成したものである。ばね部材１４Ｄは、金属材料、プラスチック材料等から製作する。衝撃吸収部材１４は衝撃が印加されると大変形し、変形が進行する過程において、ばね部材１４Ｃと粘弾性材料１４Ｂが互いに摩擦し、衝撃エネルギが摩擦熱となって消費され、その結果、装置内部機構損傷を防止することができる。ばね部材１４Ｃの表面は、摩擦を助長させるため、粗い面に加工しておくことも効果的である。本装置では、衝撃吸収部材１４が衝撃により大変形しても、ばね部材１４Ｃのばね作用により、変形前の形状に復元するのでユーザによる形状修復は不要である．  本発明における衝撃吸収機構の他の実施例を図５を用いて説明する。図５は、磁気ディスク装置を収納する衝撃吸収機構である。装置全体をゴム材料、あるいはプラスチック材料で形成した編み籠状の耐衝撃箱１９Ａに納め、装置を衝撃から守る。耐衝撃箱１９Ａのコーナーには粒状の固形部材と粘弾性材料とを練り合わせて形成した衝撃吸収部材１９Ｂを備える。衝撃吸収部材１９Ｂは、前述した実施例に用いている衝撃吸収部材と同様の材料から成る。衝撃吸収部材１９Ｂの形状は、例えば球形とする。衝撃吸収部材１９Ｂは衝撃が印加されると大変形し、変形が進行する過程において、粒状固形部材と粘弾性材料が互いに摩擦し、衝撃エネルギが摩擦熱となって消費され、その結果、装置内部機構損傷を防止することができる。なお、本実施例では耐衝撃箱１９Ａを編み籠形状としたが、それをハニカム形状としても良い。
【００３７】
本発明の衝撃吸収機構は、耐衝撃箱１９Ａないし衝撃吸収部材１９Ｂを透明材料で構成すれば内部の装置が透けて見える。したがって、例えば磁気ディスク装置を外部記憶装置として机上に設置して使用する場合、デザイン的にユニークな装置となる。
【００３８】
前記衝撃吸収部材の構造の他の実施例を図６に示す。衝撃吸収部材１４は、上述した実施例と同様に粒状固形部材１４Ａと粘弾性材料１４Ｂとを練り合わせて形成したものである。さらに、粘弾性材料１４Ｂよりも高めの硬度を持つ粘弾性材料を用い、衝撃吸収部材の表面にコーティング層１４Ｇを施す。衝撃吸収部材内部の粘弾性材料１４Ｂの硬度、コーティング層１４Ｇの硬度、厚さ等の特性を選ぶことにより、種々の耐衝撃特性を実現することができる。コーティング層１４Ｇを充分に厚くし、その内部の粘弾性材料１４Ｂの硬度を充分に小さくても良い。
【００３９】
前記衝撃吸収部材の構造の他の実施例を図７に示す。図７は、衝撃吸収部材の内部構造を一部拡大した図である。衝撃吸収部材１４は、繊維材料１４Ｈと粘弾性材料１４Ｂとを練り合わせて形成したものである。繊維材料１４Ｈの繊維材質、布構造、粘弾性材料１４Ｂの組成を選ぶことにより、種々の耐衝撃特性を実現することができる。
【００４０】
次に、もし誤って装置を何かにぶつけたり、床に落としたりして装置外周部の衝撃吸収部材が変形した場合、装置に印加した衝撃加速度の概略値を把握する方法について図８を用いて説明する。図８は、本発明の衝撃吸収機構の衝撃加速度早見表である。予め、衝撃加速度（単位Ｇ）と衝撃吸収部材の変形状態を種々の実験により調査しておく。その結果をまとめたものが衝撃加速度早見表１７であり、これを装置表面に貼付しておく。本実施例では、作用する衝撃力の方向が異なる２つのサンプル(サンプル１およびサンプル２)について、衝撃吸収部材１４の変形前の状態、印加衝撃加速度が１０００Ｇ、２０００Ｇ、３０００Ｇのそれぞれの場合の変形状態を示している。サンプル１は、衝撃吸収部材端部１４Ｅの線上に衝撃力が作用した場合である。サンプル２は、衝撃吸収部材角部１４Ｆに衝撃力が作用した場合である。衝撃吸収部材の実際の変形形状を衝撃加速度早見表と比較することにより、装置に印加された衝撃加速度の概略値を知ることができる他、ユーザに装置取扱注意を喚起するものとして有効である。なお、装置表面には、データラベル１８を貼付し、データ内容を記録できるようにしておくと便利である。
【００４１】
次に、本発明の情報記録再生装置とコンピュータ等との接続方法について図９を用いて説明する。図９は、本発明による情報記録再生装置の実装方法を示す図である。例えば、本発明の衝撃吸収機構を備えた磁気ディスク装置２２を磁気ディスク装置挿入口２１を経てパーソナルコンピュータ２０に内蔵する。磁気ディスク装置２２はコネクタを介して自由に着脱できるので、ユーザは磁気ディスク装置２２を持ち運びすることができる。また前述したように、磁気ディスク装置を外部記憶装置として用い、パーソナルコンピュータ２０とケーブルで接続し、机上に設置して使用することもできる。この場合、衝撃吸収機構の色、形状等を種々用意することによりデザイン的にユニークな装置を構成することができる。
【産業上の利用可能性】
【００４２】
（該当欄なく、省略する）
【図面の簡単な説明】
【００４３】
【図１】本発明による情報記録再生装置の一実施例の全体構成図
【図２】本発明における衝撃吸収部材の内部構造および変形状態
【図３】本発明における衝撃吸収部材内部構造の他の実施例
【図４】本発明における衝撃吸収部材内部構造の他の実施例
【図５】本発明における衝撃吸収機構の他の実施例
【図６】本発明における衝撃吸収部材内部構造の他の実施例
【図７】本発明における衝撃吸収部材内部構造の他の実施例
【図８】本発明における衝撃吸収機構の衝撃加速度早見表
【図９】本発明による情報記録再生装置の実装方法
【符号の説明】
【００４４】
１...ヘッド、  ２...ヘッド支持ばね、  ３...キャリッジ、  ４...キャリッジ回転軸、  ５...転がり軸受、  ６...ディスク、  ７...ディスク回転駆動モータ、  ８...ハウジング、  ８Ａ...ベース、  ８Ｂ...カバー、  ９...磁石・ヨークアセンブリ、  １０...駆動コイル、  １１...ＦＰＣ（可撓性プリントケーブル）、    １２...コネクタ、  １３...コネクタ挿入口、  １４...衝撃吸収部材、  １４Ａ...粒状固形部材、  １４Ｂ...粘弾性材料、  １４Ｃ...ばね部材、  １４Ｄ...ばね部材、  １４Ｅ...衝撃吸収部材端部、  １４Ｆ...衝撃吸収部材角部、  １４Ｇ...衝撃吸収部材コーティング層、  １４Ｈ...繊維材料、  １５...衝撃吸収部材の変形前形状、  １６...衝撃吸収部材の変形後形状、１７...衝撃加速度早見表、      １８...データラベル、  １９...衝撃吸収機構、  １９Ａ...編み籠状の耐衝撃箱、１９Ｂ...衝撃吸収部材、  ２０...パーソナルコンピュータ、  ２１...磁気ディスク装置挿入口、  ２２...衝撃吸収機構を備えた磁気ディスク装置。
【図１】
2004247046.tif 000003
【図２】
2004247046.tif 000004
【図３】
2004247046.tif 000005
【図４】
2004247046.tif 000006
【図５】
2004247046.tif 000007
【図６】
2004247046.tif 000008
【図７】
2004247046.tif 000009
【図８】
2004247046.tif 000010
【図９】
2004247046.tif 000011